(57)【要約】【課題】横軸回動窓の連窓開閉システム装置を提供する【解決手段】開放時に風力によって揺動する２連１組の横軸回動窓で、障子縦框に突出板を設け、この突出板を上下動させて障子の開閉と揺動角度とを規制する回動規制装置と、全閉時に障子と窓の下枠とをロックする閉窓ロック装置と、急激に障子が閉まる衝撃を緩和する急閉衝撃緩和装置と、開閉用とロック用の駆動シリンダーと、この両シリンダーを操作制御する制御ユニットとが備えられてなる開閉システム装置【選択図】図１
2011064046.tif 000002
【特許請求の範囲】
【請求項１】
縦框の中間より上部に設けられた両ヒンジを支点に自在に回動する障子の室内側上部に平衡重錘が横設された横軸回動窓において、この横軸回動窓が２連１組の連窓として用いられ、この障子のヒンジと略同一高さ位置で、隣接する同士の縦框の室内側にそれぞれ突出板が設けられ、このそれぞれの突出板をそれぞれ上下から挟み込んで各障子の開閉角度と開閉動作を規制するアーム付回動規制具が、上下動可能に上下動手段により方立部に設けられ、このアーム付回動規制具はアーム先端にローラを有し、アーム他方端側が衝撃緩衝構造を有してなり、更に障子が所定の開放角度の位置で開放したまま停止固定するための規制具が備えられていることを特徴とする横軸回動窓。
【請求項２】
請求項１記載の横軸回動窓を有し、一方、各窓の下枠と障子下框とには窓の全閉時に互いを係止するための閉窓ロック装置が設けられ、前記上下動手段には開放固定、自在回動、全閉の位置検知手段と各窓にはそれぞれ全閉の位置検知手段とが設けられ、それぞれの３つの全閉の位置検知手段が全閉を検知して初めて前記閉窓ロック装置が動作することを特徴とする横軸回動窓の連窓開閉システム装置。
【請求項３】
前記位置検知手段の他に、単独あるいは複数の条件検知センサが設けられ、この条件検知センサが電動操作制御ユニットと連動され、自動運転可能に構成されていることを特徴とする請求項２記載の横軸回動窓の連窓開閉システム装置。
【請求項４】
回動規制手段を構成するアーム付回動規制具に突出板との当接関係位置を微調整するための位置微調整手段が設けられていることを特徴とする請求項１乃至請求項３記載の横軸回動窓と横軸回動窓の連窓開閉システム装置。
【発明の詳細な説明】
【技術分野】
【０００１】
本発明は横軸回動窓を操作スイッチで手動開閉制御ができ、また各種検知センサと連動させて自動開閉制御ができ、緊急時においては自動でも手動でも強制的に開閉制御できる自動手動の両操作が可能な連窓開閉システム装置に関するものである。
【背景技術】
【０００２】
室内の温湿度管理方法として従来から行われている最も単純な方法は窓や障子などを開閉して室内空気と外界の空気の入れ換えをする自然換気方法である。当初は人為操作で開閉をおこなってきたが、平衡重錘を障子の上框部分に突設し、障子のヒンジを支点として風や対流などをエネルギーとして自然回動窓による換気を試みた横軸回転窓（特許文献１参照）が提供されてきているが、突風、木枯らしの吹き込み、暴風雨などの不測の事態に対しても即応できるおのが必要となってきた。
【０００３】
そのためこの横軸回転窓の室内側にロッドを設け、ロッドに回転アームを設けて閉窓時にはロッドの回転により回転アームで窓がロックされ、更に窓の下部に障子ロック手段を設けて２重ロックで窓の安全を確保する技術が提供されている。（特許文献１参照）また、開放状態の強風によって煽られた勢いで閉鎖して窓枠にぶつかる衝撃を緩和する方法としては横軸回転窓のクッション装置（例えば特許文献２、３参照）などが知られている。
【先行技術文献】
【特許文献】
【０００４】
【特許文献１】特開平１０−１０２９３２号公報  図１〜図7
【特許文献２】特開平２０００−８６９９号公報  図１〜図９
【特許文献３】特開平２００２−８９１２９号公報  図１〜図１３
【発明の概要】
【発明が解決しようとする課題】
【０００５】
しかしながら特許文献１のものは特許文献１の図３に見られるように窓枠取付部の室内側にロッドを水平に支持してなるため窓の正面を横切ることになって景観を損ねるという問題があった。また、この横軸回転窓に特許文献２や特許文献３のクッション装置を設けることは突風、木枯らしの吹き込み、暴風雨などの不測の事態に対しても即応できる防衛手段の一つとして非常に有効なものであり強風などに瞬間煽られた場合、偏心ヒンジを持つ回転窓の下側が閉鎖方向に思い切りよく衝突しクッション装置による衝撃緩和が認められるが、衝撃を緩和させるためにはクッション装置を障子の全閉位置より室外方向に突き出ししかも障子に極力垂直に近い状態で設けなければならないため障子が何度も衝突する異常事態の場合はクッション装置の横倒れ形態から寄り掛かり形態への移行が非常に困難であり、その時は障子全閉の際には突き出した分だけ閉鎖には反作用となってロッド回転用モータにとっては負荷が増して障害となり、今度はクッション装置を障子に極力垂直に近い状態から角度を大きくして閉鎖時の寄り掛かり形態を優先させると障子が何度も衝突する異常事態の際もクッション装置が寄り掛かり形態となるためクッションの役割を果たさないという不都合が何度も発生した。また急激に閉まった時のクッションの反動により今度は回転窓の上側が開放方向にも思い切りよく衝突するという不都合も認められた。
【０００６】
また、特許文献１のものは公報の図３に見られるようにアームは窓枠取付部の室内側に水平かつ回転可能に支持したロッドに取り付けされ、ロッドをモータにより回転させることによりアームを障子縦框に押圧する構成であるが、多連窓の場合は建て付けの影響もあって窓が同一規格での製作にもかかわらず実際に組み付けしてみると少し出入りがずれたり多少の寸法の違いがあって隣同士の窓ともその出入りは微妙に異なっている場合が多くあり、一つのロッドでもって複数個のアームを操作するとある窓は完全に閉まっているが別の窓が開き気味といったような問題点が多々生じ、そのためアームのロッド取付位置（根元部）で回転微調整するが、仮に２００ｍｍの長さのアームをロッド取付位置で角度１°ずらすと先端では３.５ｍｍ変位する。全閉時の窓の出入りは肉眼でもっておこなうが出入りが揃ったか揃っていないか確実に閉じているか開き気味かという判断は数ミリメートル以内の違いを判断することであり、根元部で角度１°以下の調整などは非常に困難であるという問題点がある。
【課題を解決するための手段】
【０００７】
本発明者はかかる不都合を解決することを目的として提供されたものである。すなわち本発明は一つには縦框の中間より上部に設けられた両ヒンジを支点に自在に回動する障子の室内側上部に平衡重錘が横設された横軸回動窓において、この横軸回動窓が２連１組の連窓として用いられ、この障子のヒンジと略同一高さ位置で、隣接する同士の縦框の室内側にそれぞれ突出板が設けられ、このそれぞれの突出板をそれぞれ上下から挟み込んで各障子の開閉角度と開閉動作を規制するアーム付回動規制具が、上下動可能に上下動手段により方立部に設けられ、このアーム付回動規制具はアーム先端にローラを有し、アーム他方端側が衝撃緩衝構造を有してなり、更に障子が所定の開放角度の位置で開放したまま停止固定するための規制具が備えられている横軸回動窓であり、また一つはこの横軸回動窓を有し、一方、各窓の下枠と障子下框とには窓の全閉時に互いを係止するための閉窓ロック装置が設けられ、各窓の下部には急激に障子が閉まる際の衝撃を緩和する急閉衝撃緩和装置が設けられており、前記上下動手段には開放固定、自在回動、全閉の位置検知手段と各窓にはそれぞれ全閉の位置検知手段とが設けられ、それぞれの全閉の位置検知手段が全閉を検知して初めて前記閉窓ロック装置が動作する横軸回動窓の連窓開閉システム装置であり、また一つは前記位置検知手段の他に、単独あるいは複数の条件検知センサが設けられ、この条件検知センサが電動操作制御ユニットと連動され、自動運転可能に構成されている横軸回動窓の連窓開閉システム装置であり、更に一つは回動規制手段を構成するアーム付回動規制具に突出板との当接関係位置を微調整するための位置微調整手段が設けられている横軸回動窓と横軸回動窓の連窓開閉システム装置である。
【０００８】
ここでいう単独あるいは複数の条件検知センサとは例えば温度センサ、湿度センサ、風量センサ、風速センサ、風向センサ、雨量センサ、雨感知センサ、煙感知器、火災報知器などを指し、それぞれの条件設定をおこなうことの出来るセンサであって、使用現場の環境に応じて必要な検知センサを選択設置し、電動操作制御ユニットに直接信号を入れたり、あるいはセンサのデータを組み合わせてコンピュータ分析させ判断結果の信号を入れたりして連続自動制御させて横軸回動窓の連窓連窓開閉システム装置とするものである。
【０００９】
また、アーム付回動規制具を上下操作する上下動手段はボルトナットのようなネジ式で上下するもの、ピニオンラック式のものなど種々あるが、そのいずれを用いても良いが、開放固定、自在回動、全閉の３点検知停止が出来て制御可能なものでなければならない。また閉窓ロック手段、上下動手段を電動操作する手段は単独の電動機を用いて連動させても良いが、複数の電動機でそれぞれを操作したほうが、構造が簡単になり故障も少なくなって好ましい。また電動制御制御盤により自動操作の場合両者は連続して動作するが、動作スイッチは別々の動作が可能なように操作スイッチを設けることが好ましい。
【発明の効果】
【００１０】
本発明の連窓開閉システム装置は手動自動の両操作が可能であり、障子の室内側上框部に平衡重錘が横設されているため窓開放時は開放された状態でバランスがとれ、風力によって障子は揺らぐがアーム付回動規制具の根元部が衝撃緩衝構造になっているため突出板がアーム先端のローラに衝突してもその反作用で急反発することはなく、相当量は衝撃吸収されて騒音を発することがない。また、全閉時における枠と障子とのロック装置は前記した３つの全閉位置検知手段が３つとも全閉を検知して初めて前記閉窓ロック装置が動作するためロックの失敗がなく、アーム付回動規制具が上下動手段により全閉検知されることで突出板が回動不可にされるため障子はそこで１度ロックされ、更に閉窓ロック装置が働いてロックされるため、障子は２重にロックされてなることになり、さらに温度検知、風検知などのセンサによるデータを分析させ、分析結果を連窓開閉システム装置にフィードバックすることにより、より快適な窓開閉の完全自動制御ができ、雨検知、風検知の異常データの検出や火検知、煙検知などの検知手段と連動させることにより人の判断によらず、強制的開窓や強制的閉窓が出来るし、また規制アーム先端部には位置の微調整手段が設けられてなるため連窓における左右の建て付けが少し狂っていても容易に微調整することが出来るという効果がある。
【図面の簡単な説明】
【００１１】
【図１】実施例１の横軸回動の２連窓における各装置の取り付けを示す連窓開閉システム装置に更に雨センサ、風センサ、煙感知器、火災報知器などの各種検知センサを接続した場合の正面図各装置取付を示す正面図
【図２】回動規制装置の構成を示す分解図
【図３】図２を用いた開閉装置の構造を示す平面図
【図４】突出板と開閉ローラの位置関係による障子の開閉状況を示す断面図
【図５】ロック装置の構成の主要部を説明するための斜視図
【図６】全閉時における閉窓ロック装置の係止具とロックピンの位置関係を示す断面図
【図７】全閉手前時の閉窓ロック装置の係止具とロックピンの位置関係を示す断面図
【図８】実施例４におけるアーム構造を示す斜視図。
【図９】実施例５の回動規制装置および微調整手段の構成を示す分解図
【図１０】図９を用いた開閉装置の構造を示す平面図
【発明を実施するための形態】
【実施例１】
【００１２】
本発明の横軸回動窓を図に基づいて説明する。まずその構成を説明すると、縦框２の中間より上部に設けられた両ヒンジ３を支点に自在に回動する障子４の室内側上部に平衡重錘３０が横設された横軸回動窓１において、この横軸回動窓１が２連１組の連窓として用いられ、この障子４のヒンジ３と略同一高さ位置で隣接する同士の縦框２の室内側にそれぞれ突出板５が設けられ、このそれぞれの突出板５をそれぞれ上下から挟み込んで各障子の開閉角度と開閉動作を規制するアーム付回動規制具６が上下動可能に上下動手段７により方立部８に設けられ、このアーム付回動規制具６はアーム９の先端に開閉ローラ１０を有し、アーム９の他方端が衝撃緩衝構造を有してなる横軸回動窓１である。
【００１３】
次に上下動手段７の構成について説明すると、三方に縦長の溝部を有するガイドレール１１が方立部８に設けられ、図２、図３に示すようにそれぞれの溝部内を走行する振れ止めローラ１２が設けられたコの字型を有する上下動ブラケット１４が設けられ、この上下動ブラケット１４に更に上下する電動シリンダー１３の軸１５と連結可能なように正面側に連結部が設けられて、その正面に設置された電動シリンダー１３の軸１５と連結されてなるものである。この上下動ブラケット１４は電動シリンダー１３の軸１５の伸縮により上下動するように構成されていて、更にこの上下動ブラケット１４の近接位置には障子の開放固定、自在回動、全閉の位置検知をするリミットスイッチ（図示せず）が設けられていて、電動シリンダー１３はこの位置検知用のリミットスイッチ（図示せず）によって動作が制御されるように構成されてなる。
【００１４】
次にアーム付回動規制具６の構成について説明すると、図２はその片方側を分解説明したものであるが実際には同様の構成を持つアーム付回動規制具６がその反対側にも同様に設けられてなる。まず、角軸付プレート１６が上下動ブラケット１４の両側面に取り付けされ、この角軸にロスタ（ラバースプリングで三木プーリー社製）１７が外れないように装着され、その外周の上から更にアーム取り付け用ケース１８が覆ってネジ止めされ、そのアーム取り付け用ケース１８の先端に、くの字型を有してその先端に開閉ローラ１０を有するアーム９が設けられてなるものであり、この開閉ローラ１０、１０が障子４に設けられた突出板５を挟みこんで上下動するため障子４は開閉角度と開閉動作が規制されることになると共に突出板５が開閉ローラ１０に衝突するように当たってきてもその根元部ではその衝撃を吸収可能な構成をもつ。
【００１５】
次に横軸回動窓１の動作について説明すると、図１、図４において今、障子４が全閉位置にあるとすると、電動シリンダー１３は伸びて上下動ブラケット１４はリミットスイッチ４１の全閉検知位置で停止していて突出板５はアーム９の下のローラ１０によって押し上げられている（図１拡大図、図４-Ｂ参照）。ここから操作スイッチ４１の自在回動ボタンを押すと電動シリンダー１３は次第に縮んでゆき、障子４の上部に設けられた平衡重錘３０により障子４は次第に開放されてゆき、リミットスイッチの自在回動検知位置で上下動ブラケット１４が停止する。（図４-Ｃ参照）この位置で障子４と平衡重錘３０とはバランスがとれて障子４自身も停止する。その後、障子４の揺動動作は風の流れの様子と平衡重錘３０取り付け位置によって決められるがその揺動動作の最大角度は突出板５がアーム９の上側の開閉ローラ１０に当接する位置までで、最小角度は突出板５がアーム９の下側の開閉ローラ１０に当接する位置までである。この最小角度を全閉位置に設定することが多いが全閉ボタンもあるためこの自在回動位置における最小角度は全閉の一歩手前でも構わない。
【００１６】
今度は風の動きに関係なく窓を開放固定状態にするには操作スイッチ４１の開放固定ボタンを押すと窓開閉用電動シリンダー１３の軸１５は更に縮んでいって開放固定のリミットスイッチ（図示せず）の位置で停止することになる。その時、突出板５がアーム９の上側の開閉ローラ１０に押し付けられ、開放固定用ブラケット３９と共になって障子４は開いた状態で固定されることになる。この位置がこの横軸回動窓１の開放固定状態である。（図４-Ａ参照）
【００１７】
今度は窓を全閉状態にするには操作スイッチ４１の全閉ボタンを押す。すると電動シリンダー１３の軸１５は次第に伸びてゆき、電動シリンダー１３の軸先端に連結された上下動ブラケット１４が上昇して全閉検知位置のリミットスイッチ４０により電動シリンダー１３が停止し、上下動ブラケット１４も停止する。この状態は動作当初に述べた全閉時における関係位置と同様である。操作スイッチ４１の押しボタンを押すことにより全閉から自在回動位置へ、開放固定位置から自在回動位置へといずれの方向へも操作が可能である。
【実施例２】
【００１８】
次に横軸回動窓の連窓開閉システム装置の構成について説明する。連窓の構成については今まで述べた通りであり、更に各障子４、４の下枠と障子下框とには窓の全閉時に互いを係止するための閉窓ロック装置１９が設けられ、各窓の下部には急激に障子が閉まる際の衝撃を緩和する急閉衝撃緩和装置として４個のソフトアブソーバー３２が設けられており、それぞれの障子４、４の隣接する縦框の下部と方立部８の下部とには障子４が全閉した事を検知する閉窓検知用検知スイッチ（図示せず）がそれぞれ設けられ、上下動ブラケット１４の全閉位置検知リミットスイッチ４０からの信号とこの両障子４、４の下部に設けられた両方の閉窓検知用検知スイッチ（図示せず）からの信号の３つの信号を検知して初めて閉窓ロック装置１９は作動するように構成されている手動式の横軸回動窓の連窓開閉システム装置である。
【００１９】
次に閉窓ロック装置１９の構成について説明すると、図５〜図７において連窓障子４、４下框の室内面側にそれぞれ係止具２９が設けられ、一方、窓下枠長手方向にはそれぞれレール２０、２０が取り付けされ、このレール２０、２０内をスライドプレート２１、２１が摺動可能に設けられ、このスライドプレート２１、２１の上に更にロック用の電動シリンダー１３や隣の閉窓ロック装置１９と連結するためのＬ型ブラケット２２、２２が設けられ、このＬ型ブラケット２２の上には係止具２９を係止するための表面が回転可能なロックピン２３がそれぞれ設けられている。左右のＬ型ブラケット２２、２２同士は連結小プレート２４、２４を介して連結プレート２５で連結され、一方側の下枠に取り付けされた電動シリンダー取付ブラケット２８にレール２０と平行してロック用の電動シリンダー１３が設けられ、この電動シリンダー１３の軸先端は一方のＬ型ブラケット２２に連結小プレート２４を介して取り付けされてなる。このまた、１３の軸１５はロックとロック解除の２位置をリミットスイッチ（図示せず）によって位置制御可能に構成されてなり、全閉時に係止具２９が所定位置に達し、前記した３つの全閉検知信号が制御器に検知された時、電動シリンダー１３の軸１５が縮んで表面回転可能なロックピン２３が係止具２９の真裏に達して障子４を閉鎖ロックするように構成されている。また、この電動シリンダー１３は操作スイッチ４１により単独でも手動操作できるように構成されている。また、全閉付近における急閉衝撃緩和装置は市販の標準品のソフトアブソーバー３２を用い、このソフトアブソーバー３２が方立部８と隣接しない側の縦枠との下部に設けられた４個のソフトアブソーバー取付用ブラケット３８によって取付され、ソフトアブソーバー３２先端が縦框下部に衝突可能に設けられて全閉時においては先端が当接したまま縮んで全閉停止となる。ソフトアブソーバー３２の構成については市販の標準品のため説明を省略する。
【００２０】
次に閉窓ロック装置１９の動作を説明する。窓が全閉状態の時、図５においてロックピン２３は電動シリンダー１３の軸１５が最短の位置にいる。操作スイッチ４１の自在回動ボタンが押されると電動シリンダー１３の軸１５は次第に伸びてゆき最長位置まで達して停止する。最長位置まで達すると最長位置検知のリミットスイッチ（図示せず）が働き、その信号受信に基づいて開放用の電動シリンダー１３の軸１５が自在回動検知位置まで下がって障子４はその位置で開いたまま、あとは風の流れによって揺動することになる。（図４-Ｃ参照）、次に操作スイッチ４１の開放固定ボタンを押すと障子は段落００１６で説明したとおりの動作をするが、閉窓ロック装置１９は動作しなく、現状位置を保つ。
【００２１】
次に全閉ボタンを押すと障子４は段落００１７で説明したとおりの動作を行なって全閉検知のリミットスイッチ４０を押して信号を発す。そして障子４、４の隣接する縦框の下部と方立部８の下部とに設けられたそれぞれの閉窓検知用検知スイッチ（図示せず）が働いてそれぞれ信号が発せられ、この３点の信号を受信することによって初めて、閉窓１９の電動シリンダー１３の軸１５が縮んでゆき、あらかじめ全閉の定位置で待機している係止具２９の背後にロックピン２３が入り込んでロックが完了する。
【実施例３】
【００２２】
次に前記した位置検知手段の他に、更に単独あるいは複数の条件検知センサ２６が設けられ、この条件検知センサ２６が電動操作の制御ユニット３１と連動され、自動運転可能に構成されている全自動式の横軸回動窓の連窓開閉システム装置の構成について説明する。まず、単独あるいは複数の条件検知センサ２６とは例えば温度センサ、湿度センサ、風量センサ、風速センサ、風向センサ、雨量センサ、雨感知センサ、煙感知器、火災報知器などを指し、これらの各条件検知センサ２６は図１に示すように並列にして受信機２７内に信号が受信されるように構成され、信号の内容によって制御ユニット３１からの出力は異なり、それぞれの条件検知センサ２６からの信号により窓は操作スイッチ４１を押したのと同様の動作を行なう。検知センサには２種類のものがあり感知すれば直ちに動作を行なうものと正常範囲をあらかじめ設定し正常範囲を外れた場合に動作するものがある。
【００２３】
前者の場合は全閉動作かまたは開放固定動作の一方的な動作となる。たいていの場合は全閉動作となるが、例えば内部と外部の両方に煙感知器を設置した場合外部からの異常信号感知には全閉して煙を内部に入れさせない動作になるし、内部からの異常信号感知には開放固定して煙を内部からすみやかに排出させる動作となり、使用現場の環境に応じて必要な検知センサを選択しなければならない。全閉動作、開放固定動作については前述したとおりである。
【００２４】
後者の場合は完全自動開閉システムを構築するもので、一定時間内のデータを蓄積してデータを分析し、その結果に応じて開放固定、自在回動、全閉動作を自動的に行なうものである。例えば温度センサや風速センサを組み合わせてシステム装置を設計すると、設定時間内の分析結果が設定温度内で設定風速内の場合は自動的に電動シリンダー１３の軸１５先端が自在回動検知位置を選んで動作しアーム回動規制具６が連動して停止して横軸回動窓１は通常通り揺動してその揺動動作は風の流れの様子と平衡重錘３０によって決められることになる。続いて設定時間内の分析結果が異常を示した場合は全閉操作スイッチ４１を押した場合と同じ動作を行うことになる場合と開放固定操作スイッチ４１を押した場合と同じ動作を行うことになる場合があり、それは当初の設定設計によって決定される。また、続いて次の設定時間内の分析結果が正常を示した場合は前と逆の操作が行なわれて電動シリンダー１３の軸先端が中間検知位置に来る動作が行なわれる。以上のように設定時間内の分析結果によって次の動作が決定され、かくして換気システム装置は完全自動換気システムを構築する。ただし、途中で閉窓検知用スイッチのうち一つが何らかの異常で信号を発さない事態が生じると閉窓ロックが動作しないので注意を要する。
【実施例４】
【００２５】
実施例４は図８に示すように、回動規制手段を構成するアーム９の先端側にこのアームと全閉時における突出板５との当接関係位置を微調整するための位置微調整手段が設けられている横軸回動窓と横軸回動窓の連窓連窓開閉システム装置である。この構成を説明すると、これは段落００１４で説明した、くの字型を有してその先端に開閉ローラ１０を有するアーム９の開閉ローラ１０とアーム９とがアーム９の先端部側でローラ付属部３３とアーム本体部３４とに分かれ、ローラ付属部３３とアーム本体部３４とはボルト３５により連結され、一方側にネジ穴３６、他方側には長穴３７が設けられて、ボルト３５を緩めることにより全閉時に突出板５と開閉ローラ１０との当接状況を微調整することにより何らかの不具合が生じた際に簡単に調整することが可能なように構成され、調整後両者をボルトで固く締め付け固定することによって一体化することが出来るよう構成されてなるものであり、ＲとＬの窓に多少の歪みが発生した場合の調整には有効である。その他については実施例１〜実施例３で説明したのと構成も動作もまた全く同様であるため説明を省略する。
【実施例５】
【００２６】
実施例５は図９、図１０に示すように、回動規制手段のアーム付回動規制具６の衝撃緩衝構造を通常のゴムカップリング４２を用いて行ない、突出板５との当接関係位置を微調整するための位置微調整手段を上下動ブラケット１４の側面に設けられた長穴３７を用いて行なうように構成したものである。説明図は片側のものであるが、実際には反対側にも同じ構成のものが取付され左右が対称となっている。
【００２７】
その構成をより詳しく説明すると、図９、図１０において上下動ブラケット１４側に設けられた軸４３にカップリング４２Ａが取り付けされ、上下動ブラケット１４の裏側より長穴３７を通してカップリング４２Ａが仮固定され、先端に開閉ローラ１０を有するアーム９がカップリング４２Ｃにネジ留め固定されたあと、カップリング４２Ａ、４２Ｂ、４２Ｃをそれぞれ組み付けてボルト４４にて全体をネジ留めされてなる。ボルト４４はカップリング４２Ａ、４２Ｂが回動自在に形成され全体が組み付けされたあと、上下動ブラケット１４の裏側からのネジ（図示せず）によりカップリング４２Ａを微調整して固定され、最後に軸４３にカップリング４２Ａがネジ留めされてなる。
【００２８】
実施例５においては軸４３とボルト４４を別々のものにしたが、それらを一体化して、上下動ブラケット１４にネジ穴をあけ、ロング化されたボルト４４にしてカップリング４２全体を取付しても構わない。その他については前に説明したのと構成も動作も全く同様であるため説明を省略する。
【符号の説明】
【００２９】
１、横軸回転窓
２、縦框
３、ヒンジ
４、障子
５、突出板
６、アーム付回動規制具
７、上下動手段
８、方立部
９、アーム
１０、開閉ローラ
１１、ガイドレール
１２、振れ止めローラ
１３、電動シリンダー
１４、上下動ブラケット
１６、角軸付プレート
１５、軸
１７、ロスタ（ラバースプリング）
１８、アーム取り付け用ケース
１９、閉窓ロック装置
２０、レール
２１、スライドプレート
２２、Ｌ型ブラケット
２３、ロックピン
２４、連結小プレート
２５、連結プレート
２６、条件検知センサ
２７、受信機
２８、電動シリンダー取付ブラケット
２９、係止具
３０、平衡重錘
３１、制御ユニット
３２、ソフトアブソーバー
３３、ローラ付属部
３４、アーム本体部
３５、ボルト
３６、ネジ穴
３７、長穴
３８、ソフトアブソーバー取付用ブラケット
３９、開放固定用ブラケット
４０、リミットスイッチ
４１、操作スイッチ
４２Ａ、４２Ｂ、４２Ｃ、カップリング
４３、軸
４４、ボルト
【図１】
2011064046.tif 000003
【図２】
2011064046.tif 000004
【図３】
2011064046.tif 000005
【図４】
2011064046.tif 000006
【図５】
2011064046.tif 000007
【図６】
2011064046.tif 000008
【図７】
2011064046.tif 000009
【図８】
2011064046.tif 000010
【図９】
2011064046.tif 000011
【図１０】
2011064046.tif 000012